(57)【要約】【課題】簡単な構造で確実に動作するとともに、コンパクトにユニット化して様々な種類のペンダントスイッチに組み付けることができる３ポジションのイネーブルスイッチを提供すること。【解決手段】可動接点３を固定接点２側に付勢する接点用ばね６と、押釦５の下部に揺動可能に枢着され、接点用ばね６に抗して可動接点３を固定接点２側から離れた状態に支持するとともに、押釦５と共に下降して可動接点３を固定接点２に接触させる揺動レバー７と、押釦５がこの接点閉じ位置を越えて押し込まれた際に、揺動レバー７の下部に当接して揺動レバー７を押し上げる突起部８とを備える。【選択図】図１
2006244853.tif 000002
【特許請求の範囲】
【請求項１】
接点台に設けた固定接点と、該固定接点に接離可能に配設された可動接点と、接点台に復帰用ばねを介して摺動可能に挿入され、該可動接点を操作する押釦とを備え、可動接点を固定接点に接触させることにより通電するようにしたイネーブルスイッチにおいて、可動接点を固定接点側に付勢する接点用ばねと、前記押釦の下部に揺動可能に枢着され、接点用ばねに抗して可動接点を固定接点側から離れた状態に支持するとともに、押釦と共に下降して可動接点を固定接点に接触させる揺動レバーと、押釦が接点閉じ位置を越えて押し込まれた際に、揺動レバーの下部に当接して該揺動レバーを押し上げる突起部とを備えたことを特徴とするイネーブルスイッチ。
【発明の詳細な説明】
【技術分野】
【０００１】
本発明は、クレーンやホイストのティーチングペンダントや工作機械等の設備の安全装置に使用されるイネーブルスイッチに関し、特に、オフ−オン−オフの３ポジション動作が可能なイネーブルスイッチに関するものである。
【背景技術】
【０００２】
例えば、クレーンやホイストに動作を覚えさせるティーチング作業を行なう際、作業者がティーチングペンダントを持って、機械の可動部に近づいた状態で作業を行なわなくてはならない。
イネーブルスイッチは、スイッチがオンしているときのみクレーンやホイストのティーチングが可能であり、クレーンやホイストの異常な動作に対して、スイッチをオフにするとクレーンやホイストが止まるというもので、安全にティーチング作業を行なうための一つの手段となっている。
【０００３】
このイネーブルスイッチは、かつては、押している間はオン、手を離すとオフとなる押しボタンスイッチが用いられており、作業中に瞬間的に指を離したり、ティーチングペンダントを手放してしまえばクレーンやホイストは停止するという機能を持っていた。
しかし、ティーチング作業者によっては、クレーンやホイストの異常な動作に対して逆にボタンを押し込んでしまう場合があり、そのため、手を離しても止まり、また逆に押し込んでも止まるという３ポジションのイネーブルスイッチが望まれるようになっている。
【発明の開示】
【発明が解決しようとする課題】
【０００４】
本発明は、上記従来のイネーブルスイッチが有する問題点に鑑み、簡単な構造で確実に動作するとともに、コンパクトにユニット化して様々な種類のペンダントスイッチに組み付けることができる３ポジションのイネーブルスイッチを提供することを目的とする。
【課題を解決するための手段】
【０００５】
上記目的を達成するため、本発明のイネーブルスイッチは、接点台に設けた固定接点と、該固定接点に接離可能に配設された可動接点と、接点台に復帰用ばねを介して摺動可能に挿入され、該可動接点を操作する押釦とを備え、可動接点を固定接点に接触させることにより通電するようにしたイネーブルスイッチにおいて、可動接点を固定接点側に付勢する接点用ばねと、前記押釦の下部に揺動可能に枢着され、接点用ばねに抗して可動接点を固定接点側から離れた状態に支持するとともに、押釦と共に下降して可動接点を固定接点に接触させる揺動レバーと、押釦が接点閉じ位置を越えて押し込まれた際に、揺動レバーの下部に当接して該揺動レバーを押し上げる突起部とを備えたことを特徴とする。
【発明の効果】
【０００６】
本発明のイネーブルスイッチによれば、接点台に設けた固定接点と、該固定接点に接離可能に配設された可動接点と、接点台に復帰用ばねを介して摺動可能に挿入され、該可動接点を操作する押釦とを備え、可動接点を固定接点に接触させることにより通電するようにしたイネーブルスイッチにおいて、可動接点を固定接点側に付勢する接点用ばねと、前記押釦の下部に揺動可能に枢着され、接点用ばねに抗して可動接点を固定接点側から離れた状態に支持するとともに、押釦と共に下降して可動接点を固定接点に接触させる揺動レバーと、押釦が接点閉じ位置を越えて押し込まれた際に、揺動レバーの下部に当接して該揺動レバーを押し上げる突起部とを備えることから、押釦を離した状態では揺動レバーが可動接点を支持することによりオフとなり、押釦を１段押し込んだ状態では揺動レバーが固定接点の位置まで下がることによりオンとなり、押釦を２段押し込んだ状態では突起部が揺動レバーを押し上げることにより、該揺動レバーが可動接点を固定接点から引き離してオフとすることができ、簡単な構造で確実に動作するとともに、コンパクトにユニット化して様々な種類のペンダントスイッチに組み付けることができる。
【発明を実施するための最良の形態】
【０００７】
以下、本発明のイネーブルスイッチの実施の形態を、図面に基づいて説明する。
【実施例１】
【０００８】
図１〜図３に、本発明のイネーブルスイッチの一実施例を示す。
このイネーブルスイッチは、接点台１に設けた固定接点２と、該固定接点２に接離可能に配設された可動接点３と、接点台１に復帰用ばね４を介して摺動可能に挿入され、該可動接点３を操作する押釦５とを備え、可動接点３を固定接点２に接触させることにより通電するようにしている。
そして、このイネーブルスイッチは、かかる構成において、可動接点３を固定接点２側に付勢する接点用ばね６と、前記押釦５の下部に揺動可能に枢着され、接点用ばね６に抗して可動接点３を固定接点２側から離れた状態に支持するとともに、押釦５と共に下降して可動接点３を固定接点２に接触させる揺動レバー７と、押釦５がこの接点閉じ位置を越えて押し込まれた際に、揺動レバー７の下部に当接して該揺動レバー７を押し上げる突起部８とを設けている。
【０００９】
接点台１は、図３にも示すように、押釦５を摺動可能に保持する箱状を呈し、その中間高さ位置に１対の固定接点２を備えるとともに、底部中心に突起部８を一体に備えている。
突起部８の周囲には復帰用ばね４が固定されており、該復帰用ばね４は、押釦５と揺動レバー７を支持している。
【００１０】
押釦５は、図１に示すように、固定接点２と対向する位置にばね穴５１を形成するとともに、該ばね穴５１の上部に固定した接点用ばね６を介して可動接点３を吊り下げるように保持している。
なお、接点用ばね６は、揺動レバー７が所定位置まで下がったときに、可動接点３を押圧して固定接点２に接触させる。
また、押釦５は、ばね穴５１の反対側で、揺動レバー７の基部を該揺動レバー７が上下に揺動できるように枢支している。
なお、押釦５の上部には、ボール９１とラッチばね９２とからなるクリック機構９が設けられており、該クリック機構９が接点台１の段部と係合することにより、１段押し込みと２段押し込みのクリック感を得るようにしている。
【００１１】
揺動レバー７は、図１に示すように、基部がピン７１によって押釦５に枢支されるとともに、中間部が復帰用ばね４で支持されており、これにより、揺動レバー７は下方への揺動が止められて水平状態を保ち、その先端部で可動接点３を固定接点２から離れた状態に保持している。
この場合、揺動レバー７の下方への揺動は、復帰用ばね４の代わりに、押釦５に突起等を形成することによっても止めることができる。
この揺動レバー７は、図１（ａ）〜（ｃ）に示すように、押釦５を離した状態では、上昇位置にある押釦５に伴って、可動接点３を固定接点２から離れた状態に支持する。
また、図１（ｄ）〜（ｆ）に示すように、押釦５を１段押し込んだ状態では、揺動レバー７が固定接点２の位置まで下がることにより、可動接点３と固定接点２を接触させる。
そして、図１（ｇ）〜（ｉ）に示すように、押釦５を２段押し込んだ状態では、突起部８が揺動レバー７を押し上げ、上方に揺動させることにより、該揺動レバー７が可動接点３を固定接点２から再び引き離してイネーブルスイッチをオフにすることができる。
【００１２】
突起部８は、揺動レバー７の下方位置で接点台１に一体に形成されており、図１（ｇ）〜（ｉ）に示すように、押釦５が２段押し込まれた状態で復帰用ばね４から突出した状態となり、押釦５の下降により揺動レバー７を下から押し上げて上方に揺動させる。
これにより、揺動レバー７が可動接点３を固定接点２から引き離し、イネーブルスイッチをオフにすることができる。
【００１３】
かくして、本実施例のイネーブルスイッチは、接点台１に設けた固定接点２と、該固定接点２に接離可能に配設された可動接点３と、接点台１に復帰用ばね４を介して摺動可能に挿入され、該可動接点３を操作する押釦５とを備え、可動接点３を固定接点２に接触させることにより通電するようにしたイネーブルスイッチにおいて、可動接点３を固定接点２側に付勢する接点用ばね６と、前記押釦５の下部に揺動可能に枢着され、接点用ばね６に抗して可動接点３を固定接点２側から離れた状態に支持するとともに、押釦５と共に下降して可動接点３を固定接点２に接触させる揺動レバー７と、押釦５が接点閉じ位置を越えて押し込まれた際に、揺動レバー７の下部に当接して該揺動レバー７を押し上げる突起部８とを備えることから、図１に示すように、押釦５を離した状態では揺動レバー７が可動接点３を支持することによりオフとなり、押釦５を１段押し込んだ状態では揺動レバー７が固定接点２の位置まで下がることによりオンとなり、押釦５を２段押し込んだ状態では突起部８が揺動レバー７を押し上げることにより、該揺動レバー７が可動接点３を固定接点２から引き離してオフとすることができ、簡単な構造で確実に動作することができる。
そして、コンパクトにユニット化して様々な種類のペンダントスイッチに組み付けることができる。
そして、イネーブルスイッチＡは、他のスイッチＢ、Ｃ、Ｄと取付構造を共通化することにより、図４に示すように、ペンダントスイッチＰの一番上に装着するようにしたり、あるいは、図５に示すように、一番下に装着するようにする等、使い勝手に応じた自由なレイアウトが可能となる。
【００１４】
以上、本発明のイネーブルスイッチについて、その実施例に基づいて説明したが、本発明は上記実施例に記載した構成に限定されるものではなく、その趣旨を逸脱しない範囲において適宜その構成を変更することができる。
【産業上の利用可能性】
【００１５】
本発明のイネーブルスイッチは、簡単な構造で確実に動作するとともに、コンパクトにユニット化して様々な種類のペンダントスイッチに組み付けられるという特性を有していることから、クレーンやロボットをはじめとする様々な３ポジションのイネーブルスイッチの用途に好適に用いることができる。
【図面の簡単な説明】
【００１６】
【図１】本発明のイネーブルスイッチの一実施例を示し、（ａ）は押釦を離した状態を示す正面図、（ｂ）は同断面正面図、（ｃ）は同断面側面図、（ｄ）は押釦を１段押した状態を示す正面図、（ｅ）は同断面正面図、（ｆ）は同断面側面図、（ｇ）は押釦を２段押した状態を示す正面図、（ｈ）は同断面正面図、（ｉ）は同断面側面図である。
【図２】同実施例のイネーブルスイッチを示し、（ａ）は正面図、（ｂ）は左側面図、（ｃ）は右側面図、（ｄ）は平面図、（ｅ）は底面図、（ｆ）は斜視図である。
【図３】同イネーブルスイッチの分解斜視図である。
【図４】同イネーブルスイッチをペンダントスイッチに組み込む一例を示す分解斜視図である。
【図５】イネーブルスイッチをペンダントスイッチに組み込む他の例を示す分解斜視図である。
【符号の説明】
【００１７】
１    接点台
２    固定接点
３    可動接点
４    復帰用ばね
５    押釦
５１  ばね穴
６    接点用ばね
７    揺動レバー
７１  ピン
８    突起部
９    クリック機構
９１  ボール
９２  ラッチばね
【図１】
2006244853.tif 000003
【図２】
2006244853.tif 000004
【図３】
2006244853.tif 000005
【図４】
2006244853.tif 000006
【図５】
2006244853.tif 000007